(57)【要約】【課題】適切なトラック間位置を選択することにより、ＤＶＤ−ＲＡＭディスク、ＤＶＤ−Ｒ／ＲＷディスク、ＣＤのそれぞれのトラッキング検出が可能となる光ピックアップ装置を提供する。【解決手段】レーザ光源１４から出射する単一の光ビームを、回折格子１５で＋１次回折光及び−１次回折光に回折し、０次光と＋１次回折光と−１次回折光とを用いてトラッキング制御を行う光ピックアップ装置であって、回折格子１５は、ディスク状媒体の情報面に結像する＋１次回折光及び−１次回折光のスポットが、ＤＶＤ−ＲＡＭディスクのトラックに０次光のスポットを配置した時に、＋１次回折光及び−１次回折光のスポットがトラックの隣トラックと隣々トラックとの間に位置するように光ビームを回折している。【選択図】図１Ａ
2008140526.tif 000002
【特許請求の範囲】
【請求項１】
少なくともＤＶＤ−ＲＡＭディスク、ＤＶＤ−Ｒディスク、ＤＶＤ−ＲＷディスク、およびＣＤディスクに記録されている情報を光学的に読み出し可能であり、
互いに波長が異なる複数の光ビームを出射可能な光源を備え、前記光源から出射する単一の光ビームを、回折格子で＋１次回折光及び−１次回折光に回折し、０次光と前記＋１次回折光と前記−１次回折光とを用いてトラッキング制御を行う光ピックアップ装置であって、
前記回折格子は、
ディスク状媒体の情報面に結像する前記＋１次回折光及び前記−１次回折光のスポットが、前記ＤＶＤ−ＲＡＭディスクのトラックに前記０次光のスポットを配置した時に、前記＋１次回折光及び前記−１次回折光のスポットが前記トラックの隣トラックと隣々トラックとの間に位置するように、前記光ビームを回折していることを特徴とする光ピックアップ装置。
【請求項２】
少なくともＤＶＤ−ＲＡＭディスク、ＤＶＤ−Ｒディスク、ＤＶＤ−ＲＷディスク、およびＣＤディスクに記録されている情報を光学的に読み出し可能であり、
互いに波長が異なる複数の光ビームを出射可能な光源を備え、前記光源から出射する単一の光ビームを、回折格子で＋１次回折光及び−１次回折光に回折し、０次光と前記＋１次回折光と前記−１次回折光とを用いてトラッキング制御を行う光ピックアップ装置であって、
前記回折格子は、
ディスク状媒体の情報面に結像する前記＋１次回折光及び前記−１次回折光のスポットが、前記ＤＶＤ−ＲＡＭディスクのトラックに前記０次光のスポットを配置させた時に、前記０次光のスポットが位置しているトラックから数えて１１番目のトラックと１２番目のトラックとの間に位置するように、前記光ビームを回折していることを特徴とする光ピックアップ装置。
【発明の詳細な説明】
【技術分野】
【０００１】
本発明は、ディスク状情報媒体に、光学的に情報を記録または再生する光記録再生装置に搭載される光ピックアップ装置に関する。特に、異なる波長の複数種類の光学的信号を検出可能な２波長一体光源光ピックアップ装置に関する。
【背景技術】
【０００２】
従来の光ピックアップ装置では、ＤＶＤ用半導体レーザ光源とＣＤ用半導体レーザ光源を別個に備え、ＤＶＤとＣＤの両方が記録再生可能であり、いわゆる３ビーム法と呼ばれる方法でトラッキングを制御している。このような従来の光記録再生装置においては、対物レンズが光軸中心からずれたとき、トラッキングオフセットが発生するという問題が発生する。この問題に対して、ディファレンシシャルプッシュプル法と呼ばれるトラッキング方法で対処している。ディファレンシシャルプッシュプル法を用いた従来の光記録再生装置について、図３を参照して説明する。
【０００３】
図３は、従来の光記録再生装置の構成を示す模式図である。図３において、まずＤＶＤ系について説明する。ＤＶＤ用半導体レーザ光源１ａは、波長がほぼ６６０ｎｍの光源である。ＤＶＤ用半導体レーザ光源１ａから発した光ビーム３ａは、ＤＶＤ用回折格子２ａに進む。ＤＶＤ用回折格子２ａは、入射する光ビーム３ａを回折し、＋１次と−１次の回折光が生成される。その後、０次光および±１次回折光から成るＤＶＤ用光ビーム３ａは、偏向ビームスプリッター４、立ち上げミラー５で反射され、コリメータレンズ６、１／４波長板７を通り、対物レンズ８により絞り込まれて、ディスク９の情報面上に光スポットが形成される。
【０００４】
この後、ディスク９で反射回折を受けたＤＶＤ用光ビーム３ａは、対物レンズ８、１／４波長板７、コリメータレンズ６、立ち上げミラー５の順に経路を通り、偏向ビームスプリッター４と、偏向ビームスプリッター１０を透過し，シリンドリカルレンズ１１で非点収差を与えられて、光検出器１２で受光される。
【０００５】
一方、ＣＤ系については、その基本構成はＤＶＤ系と同じである。波長がほぼ７８０ｎｍのＣＤ用半導体レーザ光源１ｂから発する光ビーム３ｂは、ＣＤ用回折格子２ｂで回折され、＋１次と−１次の回折光が生成される。０次光および±１次光からなる光ビーム３ｂは、偏向ビームスプリッター１０で反射された後は、前述のＤＶＤ系と同じ光路を経てディスク９の情報面に達する。ディスク９の情報面を反射した光ビーム３ｂは、前述のＤＶＤ系と同じ光路を経て光検出器１２に至る。
【０００６】
以上説明した構成において、ディスク９の情報面上に形成されるスポットの位置関係は、図４に示すようになる。図４は、ディスク９の情報面を部分的に拡大した図である。図４に示すように、情報面にはディスク９の円周方向に沿って複数のランドとグルーブが形成され、そのランドとグルーブとがディスク９の径方向に交互に形成されている。ＤＶＤ−Ｒ／ＲＷは、グルーブであるトラックにピット（記録マーク）が形成される。上記のように構成された情報面に０次光及び±１次回折光を照射すると、トラック上に０次スポット２１が位置し、トラックとトラックの間に＋１次スポット２２ａ、−１次スポット２２ｂが位置する。これが、正規の光スポットの位置である。
【０００７】
このような構成において、レンズシフトが起きた場合、正常なトラッキングエラー信号を得ることができなくなる。図５は、オフトラック量とトラッキングエラー信号との関係を示すグラフである。図５の横軸は０次スポット２１のオフトラック量、縦軸はトラッキングエラー信号をとってある。トラッキングエラー信号の取得方法については、周知の方法で行うため、説明は省略する。図５において、ＴＥ１は０次スポットにおける正常なトラッキングエラー信号、ＴＥ２はレンズシフトが生じた時の０次スポットのトラッキングエラー信号、ＴＥ３はレンズシフトが生じた時の±１次スポットのトラッキングエラー信号である。
【０００８】
図５に示すように、レンズシフトが起きたとき、０次スポット２１のトラッキングエラー信号は、ＴＥ２に示すようにＴＥ１に対してマイナス側にずれてしまい、トラッキングエラー信号が０となるオフトラック量が０に来ない。すなわち、オフトラックが発生する。このとき、＋１次スポット２２ａ、−１次スポット２２ｂのトラッキングエラー信号は、ＴＥ３に示すように０次トラッキングエラー信号ＴＥ２と比べると、その位相が１８０°ずれている。この理由は、図４に示すように、＋１次スポット２２ａ及び−１次スポット２２ｂがトラック間に位置しているからである。このため、この位相ずれを利用して、０次トラッキングエラー信号ＴＥ２から±１次トラッキングエラー信号ＴＥ３を減算することで、トラッキングエラー信号ＴＥ１の様に補正することができる。ＴＥ１は、ほぼ原点を通る特性になる。すなわち、トラッキングオフセットが補正されて、オフトラック量をほぼ０にすることができる。
【０００９】
＋１次スポット２２ａ及び−１次スポット２２ｂは、先に述べた様に、トラックとトラックの間に位置している。ＤＶＤーＲ／ＲＷついては、トラックピッチが０．７４μｍであるから、＋１次スポット２２ａ及び−１次スポット２２ｂの位置は、トラック中心からＤＶＤのトラックピッチの半分である０．３７μｍ離れた位置となる。また、ＣＤ系については、溝ピッチが１．６μｍであるから、＋１次スポット２２ａ及び−１次スポット２２ｂはトラック中心から０．８μｍ離れた位置となる。このような＋１次スポット２２ａ及び−１次スポット２２ｂの位置調整は、ＤＶＤ用回折格子２ａまたはＣＤ用回折格子２ｂを回転させて行うことができる。
【００１０】
しかし、ＤＶＤーＲ／ＲＷ及びＣＤに加えて、ＤＶＤ−ＲＡＭディスクを記録再生可能にしようとした場合、ＤＶＤ−ＲＡＭディスクのトラックピッチは１．２３μｍであり、ＤＶＤーＲ／ＲＷとは異なる。したがって、図３に示す光学系では、ＤＶＤ−ＲＡＭディスクへのアクセス時にトラッキング制御ができない。
【００１１】
以上、ＤＶＤ光源とＣＤ光源とが各々独立して搭載されている場合について説明してきたが、光学系のさらなる簡略化及び低コスト化を図るため、ＤＶＤ光源とＣＤ光源を一体化した構成においては、先に説明したトラッキング検出法では１種類のディスクしか記録再生することはできないという問題が起きる。
【００１２】
次に、この問題点について、ＤＶＤ光源とＣＤ光源が一体となった光学系の構成を示す図２を参照して説明する。なお、図２において、図３と同様な機能を果たす部品については、同じ符号を付与してその詳細説明は省略する。また、特許文献１には、２波長光源を備えた光学的情報再生装置が開示されている。
【００１３】
図２において、レーザ光源１４は、波長がほぼ６６０ｎｍのＤＶＤ用半導体レーザ光源と、波長がほぼ７８０ｎｍのＣＤ用半導体レーザ光源とが近接して一体配置されたレーザ光源である。レーザ光源１４から発した光ビーム１６は、回折格子１５で回折され、＋１次と−１次の回折光が生成される。０次光及び±１次回折光から構成される光ビーム１６は、偏向ビームスプリッター４、立ち上げミラー５で反射され、コリメータレンズ６、１／４波長板７を通り、対物レンズ８により絞り込まれて、ディスク９の情報面上に光スポットが形成される。この後の動作は、図３に基づいた動作と同じであるため説明を省略する。
【００１４】
図２において、回折格子１５はＤＶＤ用レーザ光の回折とＣＤ用レーザ光の回折とで、共通に使用される。そのため、図３に示すように、＋１次スポット２２ａ及び−１次スポット２２ｂの位置を、ＤＶＤ及びＣＤのうちいずれか一方に最適な±１次スポット位置に設定すると、もう一方は設定できないことになる。たとえば、±１次スポット位置を、ＤＶＤーＲ／ＲＷの最適位置であるトラック中心から０．３７μｍ離れた位置に設定すると、ＣＤの再生時にＣＤの情報面に照射される±１次回折光がトラック中心から０．３７μｍ離れた位置に設定される。したがって、ＣＤの最適位置であるトラック中心から０．８μｍとはかなり離れた位置となってしまい、ＣＤ再生時に、従来のディファレンシシャルプッシュプル法が適用できないこととなる。
【００１５】
さらに、ＤＶＤ−ＲＡＭディスクの場合、先にも説明したが、ＤＶＤ−ＲＡＭディスクのトラックピッチがＤＶＤーＲ／ＲＷのトラックピッチとは異なるために、従来のディファレンシシャルプッシュプル法が適用できないこととなる。
【００１６】
このように、ＤＶＤ光源とＣＤ光源とが一体となった光学系においては、従来のディファレンシシャルプッシュプル法によるトラッキング制御ができない。
【特許文献１】特開２００３−１７８４８２号公報
【発明の開示】
【発明が解決しようとする課題】
【００１７】
上記のような構成では、ＤＶＤ光源とＣＤ光源が一体となった光学系においては、従来のトラッキング検出法を用いても、レンズシフトに対するトラッキングオフセットが十分に補正されないという問題が生じる。
【００１８】
本発明は、上記問題を鑑み、適切なトラック間位置を選択することにより、ＤＶＤ−ＲＡＭディスク、ＤＶＤ−Ｒディスク、ＤＶＤ−ＲＷディスク、ＣＤのそれぞれのトラッキング検出が可能となる光ピックアップ装置を提供することを目的とする。
【課題を解決するための手段】
【００１９】
上記目的を達成するために本発明の第１の光ピックアップ装置は、少なくともＤＶＤ−ＲＡＭディスク、ＤＶＤ−Ｒディスク、ＤＶＤ−ＲＷディスク、およびＣＤディスクに記録されている情報を読み出し可能であり、互いに波長が異なる複数の光ビームを出射可能な光源を備え、前記光源から出射する単一の光ビームを、回折格子で＋１次回折光及び−１次回折光に回折し、０次光と前記＋１次回折光と前記−１次回折光とを用いてトラッキング制御を行う光ピックアップ装置であって、前記回折格子は、ディスク状媒体の情報面に結像する前記＋１次回折光及び前記−１次回折光のスポットが、前記ＤＶＤ−ＲＡＭディスクのトラックに前記０次光のスポットを配置した時に、前記＋１次回折光及び前記−１次回折光のスポットが前記トラックの隣トラックと隣々トラックとの間に位置する方向に前記光ビームを回折しているものである。
【００２０】
また、本発明の第２の光ピックアップ装置は、少なくともＤＶＤ−ＲＡＭディスク、ＤＶＤ−Ｒディスク、ＤＶＤ−ＲＷディスク、およびＣＤディスクに記録されている情報を読み出し可能であり、互いに波長が異なる複数の光ビームを出射可能な光源を備え、前記光源から出射する単一の光ビームを、回折格子で＋１次回折光及び−１次回折光に回折し、０次光と前記＋１次回折光と前記−１次回折光とを用いてトラッキング制御を行う光ピックアップ装置であって、前記回折格子は、ディスク状媒体の情報面に結像する前記＋１次回折光及び前記−１次回折光のスポットが、前記ＤＶＤ−ＲＡＭディスクのトラックに前記０次光のスポットを配置させた時に、前記０次光のスポットが位置しているトラックから数えて１１番目のトラックと１２番目のトラックとの間に位置する方向に前記光ビームを回折しているものである。
【発明の効果】
【００２１】
本発明は、ＤＶＤ光源とＣＤ光源が一体となった光学系においても、従来のディファレンシシャルプッシュプル法と同等なトラッキング制御が可能となり、レンズシフトに対するトラッキングオフセットを防止することが可能となる。
【発明を実施するための最良の形態】
【００２２】
（実施の形態１）
まず、実施の形態１における光ピックアップ装置を搭載した光記録再生装置の基本構成について説明する。
【００２３】
実施の形態１の光記録再生装置は、図２に示すように構成されている。図２に示すように、光記録再生装置は、偏光ビームスプリッタ４、立ち上げミラー５、コリメータレンズ６、１／４波長板７、対物レンズ８、シリンドリカルレンズ１１、光検出器１２、レーザ光源１４、および回折格子１５を備えている。本装置に装填可能なディスク９は、ＤＶＤ−ＲＡＭディスク、ＤＶＤ−Ｒディスク、ＤＶＤ−ＲＷディスク、ＣＤである。
【００２４】
図２において、レーザ光源１４は、波長がほぼ６６０ｎｍのＤＶＤ用半導体レーザ光源と、波長がほぼ７８０ｎｍのＣＤ用半導体レーザ光源とが近接配置され、一体化されたレーザ光源である。レーザ光源１４から発した光ビーム１６は、回折格子１５で回折され、＋１次と−１次の回折光が生成される。その後、０次光および±１次回折光から成る光ビーム１６は、偏向ビームスプリッター４及び立ち上げミラー５で反射され、コリメータレンズ６で平行光化され、１／４波長板７で波長変調される。変調された光ビームは、対物レンズ８により絞り込まれて、ディスク９の情報面上に光スポットが形成される。
【００２５】
この後、ディスク９で反射回折を受けた光ビーム（戻り光）は、対物レンズ８、１／４波長板７、コリメータレンズ６、立ち上げミラー５の順に経路を辿り、偏向ビームスプリッター４と、偏向ビームスプリッター１０を透過する。その透過光は，シリンドリカルレンズ１１で非点収差を与えられて、光検出器１２で受光される。光検出器１２では、入射する光を光電変換処理し、再生信号を得ることができる。
【００２６】
本実施の形態では、ディスク９として使用可能な情報媒体は、ＤＶＤ−ＲＡＭディスク、ＤＶＤ−Ｒ／ＲＷディスク、およびＣＤである。これらのディスクは、それぞれトラックピッチが異なるため、０次スポットが落ちているトラックとそれに隣接するトラックとの間に±１次スポットを配置すると、±１次スポットがトラック間に位置しない場合が発生する。例えば、ＤＶＤ−ＲＡＭディスクのトラックピッチに合わせて０次スポット及び±１次スポットの位置を最適化すると、ＤＶＤ−Ｒディスク、ＤＶＤ−ＲＷディスク、及びＣＤにおいて、±１次スポットを正常にトラック間位置に配置することができない。
【００２７】
そこで本実施の形態では、＋１次スポット２２ａ及び−１次スポット２２ｂを、０次スポット２１に隣接したトラック間位置に配置するのではなく、所定の間隔を隔てて配置することを特徴とする。このように配置すると、ＤＶＤ−Ｒ／ＲＷディスク、ＤＶＤ−ＲＡＭディスク、ＣＤの全部について、＋１次スポット２２ａ及び−１次スポット２２ｂが落ちる位置を、ほぼトラック間位置に配置することが可能となる。以下、具体的に説明する。
【００２８】
図１Ａは、０次スポット及び＋１次スポットの相対的な位置関係を模式的に示した図である。図１Ａにおいて、０次スポット２１は、ＤＶＤ系及びＣＤ系で共通である。ＤＶＤ＋１次スポット２２ａは、レーザ光源１４から発するＤＶＤ用レーザ光の＋１次スポットの位置を示す。ＣＤ＋１次スポット３２ａは、レーザ光源１４から発するＣＤ用レーザ光の＋１次スポットの位置を示す。なお、図１Ａは、ＤＶＤの０次スポット２１と＋１次スポット２２ａとの間隔を一定に保ったまま、ＤＶＤ−ＲＡＭディスクのトラック間の中心位置にＤＶＤ＋１次スポット２２ａを配置させたものと仮定した状態を示している。すなわち、図１Ａにおける各ＤＶＤ＋１次スポット２２ａは、ＤＶＤ−ＲＡＭの各トラックに合わせた位置に記載している。したがって、ＤＶＤ−Ｒ／ＲＷトラック３４及びＣＤトラック３５においては、トラック間における正規の位置にＤＶＤ＋１次スポット２２ａ及びＣＤ＋１次スポット３２ａが配置されていない。
【００２９】
また、図１Ａにおいて、ＤＶＤ−ＲＡＭトラック３３、ＤＶＤ−Ｒ／ＲＷトラック３４、およびＣＤトラック３５は、０次スポットに対する＋１次スポットの相対的な位置における、各ディスクのトラックの要部を示している。すなわち、図中のＤＶＤ−ＲＡＭトラック３３は、０次スポット２１に対するＤＶＤ＋１次スポット２２ａの相対位置における、ＤＶＤ−ＲＡＭディスクのトラックを示しており、そのトラックピッチは約０．６μｍである。また、ＤＶＤ−Ｒ／ＲＷトラック３４は、０次スポット２１に対するＤＶＤ＋１次スポット２２ａの相対位置における、ＤＶＤ−Ｒ／ＲＷディスクのトラックを示している。ＤＶＤ−Ｒ／ＲＷディスクのトラックピッチは約０．３７μｍであるため、図示のようにＤＶＤ−ＲＡＭトラック３３のトラックピッチよりも狭くなっている。また、ＣＤトラック３５は、０次スポット２１に対するＣＤ＋１次スポット３２ａの相対位置における、ＣＤのトラックを示している。ＣＤのトラックピッチは約０．８μｍであるため、図示のようにＤＶＤ−ＲＡＭトラック３３のトラックピッチよりも広くなっている。
【００３０】
図１Ａにおいて、従来の方式では、＋１次スポットは、Ｓ１で示すＤＶＤ＋１次スポット２２ａ及びＣＤ＋１次スポット３２ａが使用されていた。このような構成では、ＤＶＤ−ＲＡＭトラック３３における所定のトラックに０次スポット２１を配置すると、ＤＶＤ−ＲＡＭトラック３３においてはＤＶＤ＋１次スポット２２ａが正常にトラック間に位置するが、ＤＶＤ−Ｒ／ＲＷトラック３４においてはＤＶＤ＋１次スポット２２ａが正常にトラック間に位置しない。したがって、ＤＶＤ＋１次スポット２２ａをＳ１に示す位置に配置する構成では、ＤＶＤ−Ｒ／ＲＷトラック３４に対するデファレンシャルプッシュプル方式によるトラッキング制御を行うことができない。
【００３１】
本実施の形態では、図１ＡにおけるＳ２で示す位置にＤＶＤ＋１次スポット２２ａ及びＣＤ＋１次スポット３２ａが配置されるように、光源１４や回折格子１５を最適化している。すなわち、Ｓ２で示すＤＶＤ＋１次スポット２２ａは、ＤＶＤ−ＲＡＭトラック３３における所定トラックに０次スポット２１を位置させた時に、上記所定トラックの隣トラックと隣々トラックとの間に位置している。また、Ｓ２で示すＣＤ＋１次スポット３２ａは、ＣＤトラック３５におけるトラック間に位置している。具体的には、図１Ｂに示すように、ＤＶＤ＋１次スポット２２ａ及びＤＶＤ−１次スポット２２ｂを、０次スポット２１が位置しているトラックＴｒ２に隣接するトラック間位置に配置するのではなく、トラックＴｒ１及びＴｒ３に隣接するトラック間位置に配置させる。このような位置に±１次スポットを配置させるには、図２に示す回折格子１５において回折される光の回折方向を調整すればよい。なお、回折格子１５の調整方法は周知であるため、ここでの説明は省略する。
【００３２】
以上のように本実施の形態によれば、ＤＶＤ−ＲＡＭトラック３３におけるＤＶＤ＋１次スポット２２ａの位置を基準にして回折格子１５を設定することにより、ＤＶＤ−Ｒ／ＲＷトラック３４及びＣＤトラック３５においてＤＶＤ＋１次スポット２２ａの位置を、ほぼトラック間に配置することができる。よって、ＤＶＤ−ＲＡＭディスク、ＤＶＤ−Ｒディスク、ＤＶＤ−ＲＷディスク、ＣＤの全てのディスクについて、デファレンシャルプッシュプル方式などと同等のトラッキング制御を行うことができる。
【００３３】
なお、上記のように、ＤＶＤ−ＲＡＭトラック３３、ＤＶＤ−Ｒ／ＲＷトラック３４、ＣＤトラック３５の全てにおいて＋１次スポットがほぼトラック間に位置するような条件を満足する位置は、Ｓ２以外に、図１Ａに示すＳ１１にもある。Ｓ１１は、ＤＶＤ−ＲＡＭトラック３３を基準にした時に、Ｓ１に示す＋１次スポット２２ａが位置しているＤＶＤ−ＲＡＭトラック３３におけるトラック間位置から数えて、１１番目のトラック間位置である。このように、Ｓ１１に示す位置に＋１次スポットが位置するように回折格子１５を調整することで、ＤＶＤ＋１次スポット２２ａをＤＶＤ−Ｒ／ＲＷトラック３４のほぼトラック間に位置させることができるとともに、ＣＤ＋１次スポット３２ａをＣＤトラック３５のほぼトラック間に位置させることができる。したがって、デファレンシャルプッシュプル方式のトラッキング制御を行うことができる。
【産業上の利用可能性】
【００３４】
本発明は、３ビーム式のトラッキング制御が可能な光ピックアップ装置に有用である。特に、マルチドライブを備えたＤＶＤプレーヤー、ＤＶＤレコーダーなどの光ディスク装置や、パーソナルコンピューターの光ディスクドライブなどに搭載が可能である。
【図面の簡単な説明】
【００３５】
【図１Ａ】本発明の実施の形態１における０次スポットと＋１次スポットとの相対的な配置関係を示す模式図
【図１Ｂ】実施の形態１における０次スポット及び±１次スポットの配置関係を示す模式図
【図２】実施の形態１における光記録再生装置の構成を示す模式図
【図３】従来の光記録再生装置の構成を示す模式図
【図４】従来の０次スポット及び±１次スポットの配置関係を示す模式図
【図５】トラッキングエラー信号とオフトラック量との関係を示す特性図
【符号の説明】
【００３６】
１４  レーザ光源
１５  回折格子
２１  ０次回折光
２２ａ  ＋１次回折光
２２ｂ  −１次回折光
【図１Ａ】
2008140526.tif 000003
【図１Ｂ】
2008140526.tif 000004
【図２】
2008140526.tif 000005
【図３】
2008140526.tif 000006
【図４】
2008140526.tif 000007
【図５】
2008140526.tif 000008